(57)【要約】【課題】競技場の観客席の床板など、特に段床を構築する場合、工期の短縮を図ることができ、簡便に構築できて法面での施工性も向上でき、品質・精度も確保できる。【解決手段】  金網と鉄筋で作成した金網型枠を床板の構築場所の地山の地形に順応させて張り付け、これを型枠としてコンクリートやモルタルを打設して土台を構築する際に、フリーフレーム３に伸縮可能な筒体である蛇腹７を設け、吹付けたモルタルまたは打設コンクリートによって蛇腹７の下部をこの土台に固定し、蛇腹７内に無収縮モルタル１０を充填し、その後、前記モルタル１０硬化前に下部にダボ筋８を突設したＰＣ床板９の前記ダボ筋８を前記蛇腹７内に挿入し、ＰＣ床板９の下面で蛇腹７の上部を収縮させて筒体内からその周囲に無収縮モルタル１０が溢れ出るように押圧して硬化させ、無収縮モルタル１０によりＰＣ床板９と土台とを接合する。【選択図】        図１
2007063892.tif 000002
【特許請求の範囲】
【請求項１】
金網と鉄筋で作成した金網型枠を床板の構築場所の地山の地形に順応させて張り付け、これを型枠としてコンクリートやモルタルを打設して土台を構築する際に、金網型枠に伸縮可能な筒体を設け、吹付けたモルタルまたは打設コンクリートによって筒体の下部をこの土台に固定し、筒体内にモルタルを充填し、その後、前記モルタル硬化前に下部にダボ筋を突設したＰＣ床板の前記ダボ筋を前記筒体内に挿入し、ＰＣ床板の下面で筒体を収縮させて筒体内からその周囲にモルタルが溢れ出るように押圧して硬化させ、モルタルによりＰＣ床板と土台とを接合することを特徴とする床板の構築方法。
【請求項２】
前記床板は段床である請求項１記載の床板の構築方法。
【請求項３】
前記土台には床板の設置高さを決定するレベル調整ボルトが立設される請求項１または請求項２記載の床板の構築方法。
【発明の詳細な説明】
【技術分野】
【０００１】
本発明は、競技場の観客席などの床板の構築方法に関するものである。
【背景技術】
【０００２】
例えばかかる観客席の床板は、法面部に構築される段床であり、このような段床躯体の構築方法としては、従来、法面整形後に捨てコンを打設し、ここに墨出しを行ってから鉄筋の配筋作業をする。その後、床板の型枠を組立て、型枠内にコンクリートを打設して床板を構築するという、在来のRC（鉄筋コンクリート）躯体工事によっている。
【０００３】
前記先行技術は、当業者間で一般的に行われているものであり、文献公知発明にかかるものではない。
【発明の開示】
【発明が解決しようとする課題】
【０００４】
前記のように観客席段床躯体の構築を在来のRＣ躯体工事により行った場合、法面での躯体工事であるため、全ての段床を一気にコンクリート打設することが困難で、工期を要する。
【０００５】
また、法面での作業となるため、作業効率がよくなく、品質・精度を確保することが困難であり、在来工法であるため、型枠からのノロ漏れ、ジャンカなどの不具合が発生しやすい。さらに、施工が広範囲となる場合は、躯体のクラック対策に手間を要する。
【０００６】
本発明の目的は前記従来例の不都合を解消するため、競技場の観客席の床板など、特に段床を構築する場合、工期の短縮を図ることができ、簡便に構築できて法面での施工性も向上でき、品質・精度も確保できる床板の構築方法を提供することにある。
【課題を解決するための手段】
【０００７】
前記目的を達成するものとして、請求項１記載の発明は、金網と鉄筋で作成した金網型枠を床板の構築場所の地山の地形に順応させて張り付け、これを型枠としてコンクリートやモルタルを打設して土台を構築する際に、金網型枠に伸縮可能な筒体を設け、吹付けたモルタルまたは打設コンクリートによって筒体の下部をこの土台に固定し、筒体内にモルタルを充填し、その後、前記モルタル硬化前に下部にダボ筋を突設したＰＣ床板の前記ダボ筋を前記筒体内に挿入し、ＰＣ床板の下面で筒体の上部を収縮させて筒体内からその周囲にモルタルが溢れ出るように押圧して硬化させ、モルタルによりＰＣ床板と土台とを接合することを要旨とするものである。
【０００８】
請求項１記載の本発明によれば、土台の構築を法面保護の工事で実施される金網型枠による工法、例えばフリーフレーム工法（登録商標）を採用して施工するようにしたから、従来のように法面整形後に捨てコンを打設し、ここに墨出しを行ってから鉄筋の配筋作業をし、その後、床板の型枠を組立てるなどの作業が不要となって、容易に土台が構築できる。
【０００９】
そして、床板はＰＣ化を図り、その下面に土台との結合のためのダボ筋を設け、一方、土台側には結合用のモルタルを充填した筒体を設け、ダボ筋と筒体とをモルタルで結合することで、ＰＣ床板と土台とを容易に接合でき、現場でＰＣ床板を簡便に取り付けられる。
【００１０】
請求項２記載の発明は、前記床板は段床であることを要旨とするものである。
【００１１】
請求項２記載の本発明によれば、段床の場合、例えばフリーフレーム工法を利用することで、また、床板をＰＣ化し、土台の上にＰＣ床板をセットしていくだけで土台に結合できるから、特に有効であり、施工性の向上が図れる。
【００１２】
請求項３記載の発明は、前記土台には床板の設置高さを決定するレベル調整ボルトが立設されることを要旨とするものである。
【００１３】
請求項３記載の本発明によれば、レベル調整ボルトを立設することで、床板の下目がこのボルトに接する高さが床板の設置高さとなり、設置高さの決定が容易、確実に行え、段床の場合に特に有効である。
【発明の効果】
【００１４】
以上述べたように本発明の床板の構築方法は、競技場の観客席の床板など、特に段床を構築する場合、土台の構築を法面保護の工事で実施される工法を採用して施工するようにし、また、床板もＰＣ化を図るとともに土台上にセットするだけで土台と結合できるから、工期の短縮を図ることができ、簡便に構築できて法面での施工性も向上でき、品質・精度も確保できるものである。
【発明を実施するための最良の形態】
【００１５】
以下、図面について本発明の実施の形態を詳細に説明する。図１は本発明の床板の構築方法の実施形態を示す施工工程の正面図で、本発明方法は例えば競技場の観客席等の段床に実施される。
【００１６】
かかる段床は法面に構築されるものであり、まず、法面に土台を構築する必要があるが、土台の構築方法としては、法面を安定化させる工法として従来周知のフリーフレーム工法を採用する。
【００１７】
このフリーフレーム工法は図６に示すように金網１と鉄筋２と金網とで作成した骨組みの枠変形可能な部材（フリーフレーム）３を床板の構築場所に配筋・組立てし、モルタル又はコンクリートを吹付け造成するものである。フリーフレーム工法では、型枠仮設が不要で地山の均しを必要としない。型枠自体を埋め殺しにするため型枠解体が不要となる。金網による型枠は軽量で変形自在であるため作業性がよく、高所、凹凸面でも施工性や経済性に優れる。また、型枠内にコンクリート類を直接打設するので、地山とハリが一体となる。など優れた点が多い。
【００１８】
図２〜図５に示すように例えば競技場の観客席を構築する場合、観客席が構築される法面の既存盛土４上に改良土埋戻し５を施工し、この埋め戻した法面上に保護用のラス網を張り、ラス網に枠変形可能な部材（フリーフレーム）３である金網型枠を設置して前記フリーフレーム工法で土台を構築する際に、枠変形可能な部材（フリーフレーム）３である金網型枠に伸縮可能な筒体としての蛇腹７を設ける。蛇腹７はダボ筋８の挿入用のものとして取り付けるものであり、配筋、レベル調整ボルト６とともに取り付けられる（図１ａ参照）。
【００１９】
かかる梁型に墨出しを行い、床板９の取付位置を確認する。床板９は段床であり、観客席の段床躯体の品質確保と工期短縮を図るため、ＰＣ床板とし、しかもサイトＰＣによる製作とする。そして、床板９の下部にはダボ筋８を取り付けておく。
【００２０】
フリーフレーム３にモルタルを吹付け、吹付け完了後、床板９の取り付けを行う。床板９の取り付け作業は、レベル調整ボルト６のレベル調整を行い、蛇腹７に無収縮モルタル１０を充填したうえで、フリーフレーム３上に床板９を設置していく。この場合、レベル調整ボルト６の頭部の高さが、蛇腹７の上部の高さよりも低くなるように設定する。
【００２１】
次に蛇腹７内の無収縮モルタル１０が固化する前に、ダボ筋８を蛇腹７内に挿入して床板９を蛇腹７の方向に下降させて設置する（図１ｂ参照）。このとき、ダボ筋８の挿入によって蛇腹７内の無収縮モルタル１０が蛇腹７の外に溢れ出て、蛇腹７の外周を伝って下方のフリーフレーム３上に流れ落ちる。
【００２２】
床板９をその下面がレベル調整ボルト６の頭部に当接するまで下降したところで、それ以上の下降が阻止されるから、この位置で床板９は土台となるフリーフレーム３に位置決められる。同時に配設の最初の状態では蛇腹７の上部はレベル調整ボルト６の上部よりも上方に突出しているから、床板９が下降してその下面が蛇腹７を押圧することで、蛇腹７が収縮し、蛇腹７内からさらに無収縮モルタル１０が蛇腹７の周囲に溢れ出る。よって、蛇腹７内の無収縮モルタル１０およびこの溢れ出た無収縮モルタル１０が硬化することにより床板９とフリーフレーム３とが接合され、床板９がフリーフレーム３に固定される。
【００２３】
その後、蛇腹７、レベル調整ボルト９回りをさらにモルタルで固める。
【００２４】
以上のようにして段床躯体が造成されたならば、この上に観客用の椅子を設置すればよい。
【００２５】
なお、蛇腹７は、設備ダクトに使用されるアルミフレキシブルダクト、伸縮性のあるフレキシブル配管など、市販のものを使用できる。
【図面の簡単な説明】
【００２６】
【図１】本発明の床板の構築方法の実施形態を示す施工工程の正面図である。
【図２】本発明の床板の構築方法の実施形態を示す競技場の観客席に実施した場合の縦断側面図である。
【図３】本発明の床板の構築方法の実施形態を示す競技場の観客席に実施した場合の要部の縦断側面図である。
【図４】本発明の床板の構築方法の実施形態を示す競技場の観客席に実施した場合の斜視図である。
【図５】本発明の床板の構築方法の実施形態を示す競技場の観客席に実施した場合の要部の縦断正面図である。
【図６】フリーフレーム工法の説明図である。
【符号の説明】
【００２７】
１  金網型枠                    ２  鉄筋
３  フリーフレーム              ４  既存盛土
５  改良土埋戻し                ６  レベル調整ボルト
７  蛇腹                        ８  ダボ筋
９  床板                        １０  無収縮モルタル
【図１】
2007063892.tif 000003
【図２】
2007063892.tif 000004
【図３】
2007063892.tif 000005
【図４】
2007063892.tif 000006
【図５】
2007063892.tif 000007
【図６】
2007063892.tif 000008